【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
ユーザデバイスによるワイヤレス通信の方法であって、
セルラーネットワーク上で、ボイスオーバーIP(VoIP)セッションに関連付けられたネットワークサーバのネットワークサーバインターネットプロトコル(IP)アドレスが、前記VoIPセッションが進行している間に、前記ネットワークサーバIPアドレスの変更を示す指示を、前記ネットワークサーバから受信することによって、変更されたと判定するステップであって、前記VoIPセッションは、前記ユーザデバイスを介して、前記ネットワークサーバと、1つまたは複数のクライアントデバイスとの間で確立される、ステップと、
前記VoIPセッション中で、かつ、前記ネットワークサーバとの接続を維持している間に、前記判定に基づいて、ローカルエリアネットワークを介して、前記ネットワークサーバの前記ネットワークサーバIPアドレスの前記変更を示す情報を、前記1つまたは複数のクライアントデバイスに送信するステップと
を含む、方法。
【請求項２】
前記ローカルエリアネットワークにおける前記1つまたは複数のクライアントデバイスは、前記ユーザデバイスを介して前記セルラーネットワークに接続される、請求項1に記載の方法。
【請求項３】
前記送信するステップは、前記変更を示す前記情報を含む1つまたは複数のマルチキャストパケットを、前記1つまたは複数のマルチキャストパケットに対応する前記1つまたは複数のクライアントデバイスに送信するステップを含む、請求項1に記載の方法。
【請求項４】
前記1つまたは複数のマルチキャストパケットは、IPv4またはIPv6の少なくとも一方に基づいて前記1つまたは複数のクライアントデバイスに送信される、請求項3に記載の方法。
【請求項５】
前記送信するステップは、前記変更を示す前記情報を含むブロードキャストパケットを送信するステップを含み、前記ローカルエリアネットワークにおける前記1つまたは複数のクライアントデバイスは、前記ブロードキャストパケットを受信することができる、請求項1に記載の方法。
【請求項６】
前記ブロードキャストパケットはIPv4に基づいて送信される、請求項5に記載の方法。
【請求項７】
前記変更を示す前記情報を前記1つまたは複数のクライアントデバイスに送信するためにユーザデータグラムプロトコル(UDP)がトランスポートレイヤプロトコルとして使用され、前記情報は、前記セルラーネットワークにおいて現在有効である1つまたは複数のネットワークサーバIPアドレスを含む、請求項1に記載の方法。
【請求項８】
ワイヤレス通信のためのユーザデバイスであって、
セルラーネットワーク上で、ボイスオーバーIP(VoIP)セッションに関連付けられたネットワークサーバのネットワークサーバインターネットプロトコル(IP)アドレスが変更されたと判定するための手段であって、該変更されたと判定するための手段は、前記VoIPセッションが進行している間に、前記ネットワークサーバIPアドレスの変更を示す指示を、前記ネットワークサーバから受信するように構成され、前記VoIPセッションは、前記ユーザデバイスを介して、前記ネットワークサーバと、1つまたは複数のクライアントデバイスとの間で確立される、手段と、
前記VoIPセッション中で、かつ、前記ネットワークサーバとの接続を維持している間に、前記判定に基づいて、ローカルエリアネットワークを介して、前記ネットワークサーバの前記ネットワークサーバIPアドレスの前記変更を示す情報を、前記1つまたは複数のクライアントデバイスに送信するための手段と
を備える、ユーザデバイス。
【請求項９】
前記ローカルエリアネットワークにおける前記1つまたは複数のクライアントデバイスは、前記ユーザデバイスを介して前記セルラーネットワークに接続される、請求項8に記載のユーザデバイス。
【請求項１０】
前記送信するための手段は、前記変更を示す前記情報を含む1つまたは複数のマルチキャストパケットを、前記1つまたは複数のマルチキャストパケットに対応する前記1つまたは複数のクライアントデバイスに送信するようにさらに構成される、請求項8に記載のユーザデバイス。
【請求項１１】
前記1つまたは複数のマルチキャストパケットは、IPv4またはIPv6の少なくとも一方に基づいて前記1つまたは複数のクライアントデバイスに送信される、請求項10に記載のユーザデバイス。
【請求項１２】
前記送信するための手段は、前記変更を示す前記情報を含むブロードキャストパケットを送信するようにさらに構成され、前記ローカルエリアネットワークにおける前記1つまたは複数のクライアントデバイスは、前記ブロードキャストパケットを受信することができる、請求項8に記載のユーザデバイス。
【請求項１３】
前記ブロードキャストパケットはIPv4に基づいて送信される、請求項12に記載のユーザデバイス。
【請求項１４】
前記変更を示す前記情報を前記1つまたは複数のクライアントデバイスに送信するためにユーザデータグラムプロトコル(UDP)がトランスポートレイヤプロトコルとして使用され、前記情報は、前記セルラーネットワークにおいて現在有効である1つまたは複数のネットワークサーバIPアドレスを含む、請求項8に記載のユーザデバイス。
【請求項１５】
ワイヤレス通信のためのユーザデバイスであって、
メモリと、
前記メモリに結合された少なくとも1つのプロセッサと
を備え、前記少なくとも1つのプロセッサは、
セルラーネットワーク上で、ボイスオーバーIP(VoIP)セッションに関連付けられたネットワークサーバのネットワークサーバインターネットプロトコル(IP)アドレスが変更されたと判定するように構成され、該少なくとも1つのプロセッサは、前記VoIPセッションが進行している間に、前記ネットワークサーバIPアドレスの変更を示す指示を、前記ネットワークサーバから受信することによって判定するように構成され、前記VoIPセッションは、前記ユーザデバイスを介して、前記ネットワークサーバと、1つまたは複数のクライアントデバイスとの間で確立され、
前記VoIPセッション中で、かつ、前記ネットワークサーバとの接続を維持している間に、前記判定に基づいて、ローカルエリアネットワークを介して、前記ネットワークサーバの前記ネットワークサーバIPアドレスの前記変更を示す情報を、前記1つまたは複数のクライアントデバイスに送信するように構成される、ユーザデバイス。
【請求項１６】
前記ローカルエリアネットワークにおける前記1つまたは複数のクライアントデバイスは、前記ユーザデバイスを介して前記セルラーネットワークに接続される、請求項15に記載のユーザデバイス。
【請求項１７】
送信するように構成された前記少なくとも1つのプロセッサは、前記変更を示す前記情報を含む1つまたは複数のマルチキャストパケットを、前記1つまたは複数のマルチキャストパケットに対応する前記1つまたは複数のクライアントデバイスに送信するようにさらに構成される、請求項15に記載のユーザデバイス。
【請求項１８】
前記1つまたは複数のマルチキャストパケットは、IPv4またはIPv6の少なくとも一方に基づいて前記1つまたは複数のクライアントデバイスに送信される、請求項17に記載のユーザデバイス。
【請求項１９】
送信するように構成された前記少なくとも1つのプロセッサは、前記変更を示す前記情報を含むブロードキャストパケットを送信するようにさらに構成され、前記ローカルエリアネットワークにおける前記1つまたは複数のクライアントデバイスは、前記ブロードキャストパケットを受信することができる、請求項15に記載のユーザデバイス。
【請求項２０】
前記ブロードキャストパケットはIPv4に基づいて送信される、請求項19に記載のユーザデバイス。
【請求項２１】
前記変更を示す前記情報を前記1つまたは複数のクライアントデバイスに送信するためにユーザデータグラムプロトコル(UDP)がトランスポートレイヤプロトコルとして使用され、前記情報は、前記セルラーネットワークにおいて現在有効である1つまたは複数のネットワークサーバIPアドレスを含む、請求項15に記載のユーザデバイス。
【請求項２２】
デバイス制御のためのコンピュータ実行可能コードを記憶するユーザデバイスの非一時的コンピュータ可読記憶媒体であって、
セルラーネットワーク上で、ボイスオーバーIP(VoIP)セッションに関連付けられたネットワークサーバのネットワークサーバインターネットプロトコル(IP)アドレスが変更されたと判定することに関するコードであって、該判定することに関するコードは、前記VoIPセッションが進行している間に、前記ネットワークサーバIPアドレスの変更を示す指示を、前記ネットワークサーバから受信することに関するコードをさらに含み、前記VoIPセッションは、前記ユーザデバイスを介して、前記ネットワークサーバと、1つまたは複数のクライアントデバイスとの間で確立される、コードと、
前記VoIPセッション中で、かつ、前記ネットワークサーバとの接続を維持している間に、前記判定に基づいて、ローカルエリアネットワークを介して、前記ネットワークサーバの前記ネットワークサーバIPアドレスの前記変更を示す情報を、前記1つまたは複数のクライアントデバイスに送信することとに関するコードと
を含む、非一時的コンピュータ可読記憶媒体。
【請求項２３】
前記送信することは、前記変更を示す前記情報を含む1つまたは複数のマルチキャストパケットを、前記1つまたは複数のマルチキャストパケットに対応する前記1つまたは複数のクライアントデバイスに送信することを含む、請求項22に記載の非一時的コンピュータ可読記憶媒体。
【請求項２４】
前記送信することは、前記変更を示す前記情報を含むブロードキャストパケットを送信することを含み、前記ローカルエリアネットワークにおける前記1つまたは複数のクライアントデバイスは、前記ブロードキャストパケットを受信することができる、請求項22に記載の非一時的コンピュータ可読記憶媒体。
【請求項２５】
前記情報は、前記ネットワークサーバに関連付けられた1つまたは複数の現在有効であるIPアドレスと、前記VoIPセッションのための前記ネットワークサーバに以前に関連付けられた以前のネットワークサーバIPアドレスとを含み、かつ、前記情報は、前記ネットワークサーバと、前記1つまたは複数のクライアントデバイスとの間の前記VoIPセッションに関連付けられた動的ホスト構成プロトコル(DHCP)の有効期間が満了する前に送信される、請求項1に記載の方法。